(57)【要約】【課題】  柔軟な文章を容易に入力することができる。【解決手段】  複数の分類に分けられた構成要素が分類と共に記憶部８に予め登録され、構成要素制御部６によって記憶部８から読み出された分類に属する構成要素から所望の構成要素がテンキー３によって選択されると、構成要素制御部６によって、文章を構成する順序について次に構成要素が選択されるべき分類及び当該分類に属する構成要素が記憶部８から読み出されて表示画面５によって表示され、表示された分類に属する構成要素の選択が行われる。【選択図】図１
2006221363.tif 000002
【特許請求の範囲】
【請求項１】
複数の分類に分けられた文章の構成要素が前記分類と共に登録された記憶手段と、前記記憶手段に登録された分類及び構成要素を前記記憶手段から読み出す構成要素制御手段と、前記読み出された分類及び構成要素を表示する表示画面と、前記表示画面によって表示された構成要素を選択するための要素選択手段とを有し、選択された構成要素によって文章が組み立てられる文字入力装置において、
前記構成要素制御手段は、前記要素選択手段によって構成要素が選択された際に、文章を構成する順序について次に構成要素が選択されるべき分類及び該分類に属する構成要素を前記記憶手段から読み出すことを特徴とする文字入力装置。
【請求項２】
請求項１に記載の文字入力装置において、
前記構成要素制御手段によって前記記憶手段から読み出される分類を選択するための分類選択手段を有することを特徴とする文字入力装置。
【請求項３】
請求項１または請求項２に記載の文字入力装置において、
前記要素選択手段は、新たな構成要素を入力するための新規要素入力手段を有し、
前記構成要素制御手段は、前記新規要素入力手段が操作されることによって入力された構成要素を前記記憶手段に新規に登録することを特徴とする文字入力装置。
【請求項４】
複数の分類に分けられて前記分類と共に記憶手段に登録された構成要素によって文章を組み立てる文字入力方法であって、
前記記憶手段に登録された構成要素を分類と共に読み出す処理と、
読み出された構成要素の中から所望の構成要素が選択された際に、文章を構成する順序について次に構成要素が選択されるべき分類に属する構成要素を該分類と共に前記記憶手段から読み出す処理とを有する文字入力方法。
【請求項５】
請求項４に記載の文字入力方法において、
前記分類が選択された場合、当該分類及び該分類に属する構成要素を前記記憶手段から読み出す処理を有することを特徴とする文字入力方法。
【請求項６】
請求項５または請求項６に記載の文字入力方法において、
新たな構成要素が入力された場合、該構成要素を新規に登録する処理を有することを特徴とする文字入力方法。
【発明の詳細な説明】
【技術分野】
【０００１】
本発明は、画面上に表示される文字の入力が行われる文字入力装置及び文字入力方法に関する。
【背景技術】
【０００２】
近年の携帯電話機端末やＰＨＳ端末においては、音声通信機能のほかに、電子メール等の文字伝送機能が設けられている。さらに、その文字伝送機能については一度に送信できる文字数が増えてきている。しかし、文字入力を行う際には、一文字一文字、テンキーを何度も押し下げなければならなく、文字入力の煩雑さが生じている。
【０００３】
そこで、文章入力を容易にするために、複数のパターンの文章やフレーズを端末内の記憶部に予め登録しておき、入力作業時に動作メニューを選択するようにテンキーを数回押すことにより登録された単純な文章やフレーズの中から適当なものを選択し、選択された数種類の単純な文章やフレーズを組み合わせることによって、所望の文章を完成させる方法が考えられている（例えば、特許文献１，２参照。）。
【特許文献１】特開２００３−２５６３３２号公報
【特許文献２】特開２０００−２７０１１５号公報
【発明の開示】
【発明が解決しようとする課題】
【０００４】
しかしながら、特許文献１，２に記載された方法では、文章を完成させるための構成要素である単純な文章やフレーズの登録数が多い場合、それらを選択するための手間がかかってしまうという問題点がある。また、文章を完成させるための構成要素である単純な文章やフレーズの登録数が少ない場合は、柔軟な文章が完成できないという問題点がある。
【０００５】
本発明は、上述したような従来の技術が有する問題点を鑑みてなされたものであって、柔軟な文章を容易に入力することができる文字入力装置及び文字入力方法を提供することを目的とする。
【課題を解決するための手段】
【０００６】
上記目的を達成するために本発明は、
複数の分類に分けられた文章の構成要素が前記分類と共に登録された記憶手段と、前記記憶手段に登録された分類及び構成要素を前記記憶手段から読み出す構成要素制御手段と、前記読み出された分類及び構成要素を表示する表示画面と、前記表示画面によって表示された構成要素を選択するための要素選択手段とを有し、選択された構成要素によって文章が組み立てられる文字入力装置において、
前記構成要素制御手段は、前記要素選択手段によって構成要素が選択された際に、文章を構成する順序について次に構成要素が選択されるべき分類及び該分類に属する構成要素を前記記憶手段から読み出すことを特徴とする。
【０００７】
また、前記構成要素制御手段によって前記記憶手段から読み出される分類を選択するための分類選択手段を有することを特徴とする。
【０００８】
また、前記要素選択手段は、新たな構成要素を入力するための新規要素入力手段を有し、
前記構成要素制御手段は、前記新規要素入力手段が操作されることによって入力された構成要素を前記記憶手段に新規に登録することを特徴とする。
【０００９】
また、複数の分類に分けられて前記分類と共に記憶手段に登録された構成要素によって文章を組み立てる文字入力方法であって、
前記記憶手段に登録された構成要素を分類と共に読み出す処理と、
読み出された構成要素の中から所望の構成要素が選択された際に、文章を構成する順序について次に構成要素が選択されるべき分類に属する構成要素を該分類と共に前記記憶手段から読み出す処理とを有する。
【００１０】
また、前記分類が選択された場合、当該分類及び該分類に属する構成要素を前記記憶手段から読み出す処理を有することを特徴とする。
【００１１】
また、新たな構成要素が入力された場合、該構成要素を新規に登録する処理を有することを特徴とする。
【００１２】
上記のように構成された本発明においては、複数の分類に分けられた構成要素が分類と共に記憶手段に予め登録され、構成要素制御手段によって記憶手段から読み出された分類に属する構成要素から所望の構成要素が選択されると、構成要素制御手段によって、文章を構成する順序について次に構成要素が選択されるべき分類及び当該分類に属する構成要素が記憶手段から読み出されて表示画面によって表示され、表示された分類に属する構成要素の選択が行われる。
【００１３】
このように、表示されている分類に属する構成要素の中から所望の構成要素を選択すると、文章を構成する順序について次に構成要素が選択されるべき分類及び当該分類に属する構成要素が表示され、表示された分類に属する構成要素の中から所望の構成要素が選択可能となるため、分類を選択する手間が省け、文章を構成する順序に沿って自動的に表示される分類にしたがって、構成要素を選択するだけで、所望の文章を作成することができる。
【発明の効果】
【００１４】
以上説明したように本発明においては、複数の分類に分けられた構成要素が分類と共に記憶手段に予め登録され、構成要素制御手段によって記憶手段から読み出された分類に属する構成要素から所望の構成要素が選択されると、構成要素制御手段によって、文章を構成する順序について次に構成要素が選択されるべき分類及び当該分類に属する構成要素が記憶手段から読み出されて表示画面によって表示され、表示された分類に属する構成要素の選択が行われる構成としたため、柔軟な文章を容易に入力することができる。
【発明を実施するための最良の形態】
【００１５】
以下に、本発明の実施の形態について図面を参照して説明する。
【００１６】
図１は、本発明の文字入力装置として用いられる携帯電話端末の実施の一形態を示す図であり、（ａ）は外観図、（ｂ）は内部の構成を示す図である。
【００１７】
図１に示すように、本形態における携帯電話端末１は、文章を組み立てるための構成要素の分類を選択するための分類選択手段であるカーソル移動キー２と、通話の際のダイヤルキーとなるとともに、カーソル移動キー２によって選択された分類の中から構成要素を選択するための要素選択手段であるテンキー３と、カーソル移動キー２及びテンキー３の入力を決定するための決定キー４と、文章を組み立てるための構成要素が複数の分類毎に分けられて記憶されている記憶部８と、カーソル移動キー２及びテンキー３からの入力により記憶部８に登録されている構成要素を読み出す構成要素制御部６と、構成要素制御部６によって読み出された内容を描画処理する描画部７と、カーソル移動キー２、テンキー３及び決定キー４による入力作業や描画部７によって描画処理された文章等の情報を表示する表示画面５とから構成されている。
【００１８】
以下に、上記のように構成された携帯電話端末１における文字入力方法について説明する。
【００１９】
図２は、図１に示した携帯電話端末１における文字入力方法の一例を説明するためのフローチャートである。
【００２０】
まず、文章を構成する構成要素であるフレーズを記憶部８に予め格納しておく。その際、フレーズは一定の分類毎に分けられ、その分類と共に格納される。
【００２１】
図３は、図１に示した記憶部８に格納されているフレーズの一例を示す図である。
【００２２】
図３に示すように、図１に示した記憶部８には、《分類Ａ（誰が）》、《分類Ｂ（いつ）》、《分類Ｃ（なぜ）》、《分類Ｄ（何を）》、《分類Ｅ（どうする）》、《分類Ｆ（文末）》の形でフレーズが分類されて格納されている。さらに、その他の分類を設けても良い。
【００２３】
《分類Ａ（誰が）》には、「私が」、「家族が」、「○○さんが」等のフレーズが、また、《分類Ｂ（いつ）》には、「今日」、「昨日」、「明日」等のフレーズが、また、《分類Ｃ（なぜ）》には、「急な用事により」、「電車事故により」、「渋滞により」等のフレーズが、また、《分類Ｄ（何を）》には、「会社を」、「学校を」、「会議を」等のフレーズが、また、《分類Ｅ（どうする）》には、「遅れます。」、「休みます。」、「出かけます。」等のフレーズが、また、《分類Ｆ（文末）》には、「以上です。」、「よろしく。」、「じゃあね。」等のフレーズが、それぞれ登録されている。
【００２４】
最初に第１の実施例として、今日家族が病気のため会社を休む旨をメールで連絡するための文章作成方法について説明する。
【００２５】
携帯電話端末１において、カーソル移動キー２及びテンキー３を用いて、組み合わせ定型文を起動すると、初期画面が表示画面５に表示される（ステップＳ１）。
【００２６】
図４は、図１に示した携帯電話端末１の表示画面５に表示される初期画面を示す図である。
【００２７】
図４に示すように、図３に示した《分類Ａ（誰が）》が構成要素制御部６によって記憶部８から読み出され、描画部７を介して表示画面５に表示される。まず、最初に入力しようとするフレーズが属する分類が選択されるが（ステップＳ２）、記憶部８には分類の表示の順序が《分類Ａ（誰が）》→《分類Ｂ（いつ）》→《分類Ｃ（なぜ）》→《分類Ｄ（何を）》→《分類Ｅ（どうする）》→《分類Ｆ（文末）》と予め登録されており、この例では最初に表示された《分類Ａ（誰が）》に属するフレーズが最初に入力されるため、このまま他の分類に変更する必要は無い。ここで、「家族が」と入力するためにテンキー３によって「２」が選択されると（ステップＳ３）、「家族が」と表示されると共に、文章を構成する順序について次に構成要素が選択されるべき分類である《分類Ｂ（いつ）》が構成要素制御部６によって記憶部８から読み出され、描画部７を介して表示画面５に自動的に表示される（ステップＳ４）。なお、入力すべき分類において所望のフレーズが表示されていない場合は、テンキー３の「＃」を押すことにより、次ページに移行して次ページにおいて選択できる。さらに、全ページにて所望のフレーズが表示されない場合、テンキー３の新規要素入力手段である「＊」を押し、その後、テンキー３の他のキーを用いて所望のフレーズを入力すれば、そのフレーズが構成要素制御部６によって記憶部８に登録される。
【００２８】
図５は、図１に示した携帯電話端末１において、図３に示したフレーズのうち「家族が」と表示されると共に、文章を構成する順序について次に構成要素が選択されるべき分類である《分類Ｂ（いつ）》が表示された表示画面５を示す図である。
【００２９】
図５に示すように、ステップＳ３にてテンキー３によって「２」が選択されると、「家族が」と表示されると共に、文章を構成する順序について次に構成要素が選択されるべき分類である《分類Ｂ（いつ）》が構成要素制御部６によって記憶部８から読み出され、描画部７を介して表示画面５に自動的に表示される。ここで、決定キー４が押された場合は、文章作成は終了し、また、決定キー４が押されなかった場合は、ステップＳ２に戻り、次の分類においてフレーズが選択可能となる（ステップＳ５）。
【００３０】
《分類Ｂ（いつ）》についても《分類Ａ（誰が）》と同様に、「今日」と入力するためにテンキー３によって「１」が選択されると、「家族が今日」と表示されると共に、文章を構成する順序について次に構成要素が選択されるべき分類である《分類Ｃ（なぜ）》が構成要素制御部６によって記憶部８から読み出され、描画部７を介して表示画面５に自動的に表示される。
【００３１】
図６は、図１に示した携帯電話端末１において、図３に示したフレーズのうち「家族が今日」と表示されると共に、文章を構成する順序について次に構成要素が選択されるべき分類である《分類Ｃ（なぜ）》が表示された表示画面５を示す図である。
【００３２】
図６に示すように、表示画面５に《分類Ｂ（いつ）》が表示された状態にてテンキー３によって「１」が選択されると、「家族が今日」と表示されると共に、文章を構成する順序について次に構成要素が選択されるべき分類である《分類Ｃ（なぜ）》が構成要素制御部６によって記憶部８から読み出され、描画部７を介して表示画面５に自動的に表示される。以降、《分類Ｆ（文末）》まで同様の処理が行われることにより、文章が完成される。
【００３３】
図７は、図１に示した携帯電話端末１において、図３に示したフレーズのうち《分類Ｆ（文末）》まで同様の処理が行われることにより、文章が完成された際の表示画面５を示す図である。
【００３４】
図７に示すように、図１に示した携帯電話端末１に対して上述した一連の操作が行われることにより、今日家族が病気のため会社を休む旨が文章として完成されて表示される。
【００３５】
次に第２の実施例として、電車事故により遅れる旨を簡単にメールで連絡するための文章作成方法について説明する。
【００３６】
上述した例と同様に、携帯電話端末１において、カーソル移動キー２及びテンキー３を用いて、組み合わせ定型文を起動すると、初期画面が表示画面５に表示される。ここでは、電車事故により遅れる旨を簡単な文章としたいため、《分類Ａ（誰が）》及び《分類Ｂ（いつ）》については、入力が不要となる。この場合、カーソル移動キー２が操作されることにより、入力が不要な分類が構成要素制御部６によって記憶部８から読み出されずにスキップされる。具体的には、携帯電話端末１の表示画面５に図４に示したような《分類Ａ（誰が）》を選択するための画面が表示された状態にてカーソル移動キー２を１回押すと、携帯電話端末１の表示画面５に《分類Ｂ（いつ）》を選択するための画面が表示され、その状態にてカーソル移動キー２を再度押すと、《分類Ｃ（なぜ）》を選択するための画面が携帯電話端末１の表示画面５に表示される。
【００３７】
図８は、図１に示した携帯電話端末１において、図３に示したフレーズのうちカーソル移動キー２によって《分類Ｃ（なぜ）》が選択された表示画面５を示す図である。
【００３８】
図８に示すように、カーソル移動キー２が上述したように操作されると、《分類Ａ（誰が）》及び《分類Ｂ（いつ）》の入力がされない状態で《分類Ｃ（なぜ）》が構成要素制御部６によって記憶部８から読み出され、描画部７を介して表示画面５に表示される。ここで、「電車事故により」と入力するため、テンキー３によって「２」が選択されると、「電車事故により」と表示されると共に、文章を構成する順序について次に構成要素が選択されるべき分類である《分類Ｄ（何を）》が構成要素制御部６によって記憶部８から読み出され、描画部７を介して表示画面５に自動的に表示される。
【００３９】
図９は、図１に示した携帯電話端末１において、図３に示したフレーズのうち「電車事故により」と表示されると共に、文章を構成する順序について次に構成要素が選択されるべき分類である《分類Ｄ（何を）》が表示された表示画面５を示す図である。
【００４０】
図９に示すように、表示画面５に《分類Ｃ（なぜ）》が表示された状態にてテンキー３によって「２」が選択されると、「電車事故により」と表示されると共に、文章を構成する順序について次に構成要素が選択されるべき分類である《分類Ｄ（何を）》が構成要素制御部６によって記憶部８から読み出され、描画部７を介して表示画面５に自動的に表示される。《分類Ｄ（何を）》については、入力が不要であるため、《分類Ａ（誰が）》及び《分類Ｂ（いつ）》がスキップされたと同様にカーソル移動キー２が操作されることにより、入力が不要な《分類Ｄ（何を）》が構成要素制御部６によって記憶部８から読み出されずにスキップされる。そして、文章を構成する順序について次に構成要素が選択されるべき分類である《分類Ｅ（どうする）》が表示画面５に表示される。
【００４１】
図１０は、図１に示した携帯電話端末１において、図３に示したフレーズのうちカーソル移動キー２によって《分類Ｅ（どうする）》が選択された表示画面５を示す図である。
【００４２】
図１０に示すように、カーソル移動キー２が上述したように操作されると、《分類Ｄ（何を）》の入力がされない状態で《分類Ｅ（どうする）》が構成要素制御部６によって記憶部８から読み出され、描画部７を介して表示画面５に表示される。ここで、「遅れます。」と入力するため、テンキー３によって「１」が選択されると、「遅れます。」と表示されると共に、文章を構成する順序について次に構成要素が選択されるべき分類である《分類Ｆ（文末）》が構成要素制御部６によって記憶部８から読み出され、描画部７を介して表示画面５に自動的に表示される。
【００４３】
図１１は、図１に示した携帯電話端末１において、図３に示したフレーズのうち「遅れます。」と表示されると共に、文章を構成する順序について次に構成要素が選択されるべき分類である《分類Ｆ（文末）》が表示された表示画面５を示す図である。
【００４４】
図１１に示すように、表示画面５に《分類Ｅ（どうする）》が表示された状態にてテンキー３によって「１」が選択されると、「電車事故により遅れます。」と表示されると共に、文章を構成する順序について次に構成要素が選択されるべき分類である《分類Ｆ（文末）》が構成要素制御部６によって記憶部８から読み出され、描画部７を介して表示画面５に自動的に表示される。《分類Ｆ（文末）》については、入力が不要であるため、決定キー４を押すことにより、文章作成が終了する。
【００４５】
このように、文章を構成する構成要素であるフレーズが一定の分類に分けられ、分けられた分類が文章を構成する順序で表示され、また、１つの分類の中でフレーズが選択されると、次の分類が自動的に表示される。
【００４６】
なお、フレーズが選択され、次の分類に進んだ後に、カーソル移動キー２によって、前の分類に戻り、再選択が行われることも考えられる。
【００４７】
また、クリアキー等の削除キーを押すことにより、直前に選択されたフレーズが削除されても良いし、また、直前に選択されたフレーズが無い場合、文章作成が終了される構成としても良い。
【００４８】
また、各分類におけるフレーズの選択もカーソル移動キー２によって行われるものであっても良い。
【００４９】
また、英語の文章を作成する目的として、英単語が記憶部８に予め登録され、主語、述語（動詞）、目的語等の順番で分類が自動的に表示されるものでも良い。
【００５０】
さらに、本発明の方法によって完成された文章中に、テンキー３による従来の技術を使って入力された文字が挿入される構成や、完成された文章の一部が修正される構成としても良い。
【図面の簡単な説明】
【００５１】
【図１】本発明の文字入力装置として用いられる携帯電話端末の実施の一形態を示す図であり、（ａ）は外観図、（ｂ）は内部の構成を示す図である。
【図２】図１に示した携帯電話端末における文字入力方法の一例を説明するためのフローチャートである。
【図３】図１に示した記憶部に格納されているフレーズの一例を示す図である。
【図４】図１に示した携帯電話端末の表示画面に表示される初期画面を示す図である。
【図５】図１に示した携帯電話端末において、図３に示したフレーズのうち「家族が」と表示されると共に、文章を構成する順序について次に構成要素が選択されるべき分類である《分類Ｂ（いつ）》が表示された表示画面を示す図である。
【図６】図１に示した携帯電話端末において、図３に示したフレーズのうち「家族が今日」と表示されると共に、文章を構成する順序について次に構成要素が選択されるべき分類である《分類Ｃ（なぜ）》が表示された表示画面を示す図である。
【図７】図１に示した携帯電話端末において、図３に示したフレーズのうち《分類Ｆ（文末）》まで同様の処理が行われることにより、文章が完成された際の表示画面を示す図である。
【図８】図１に示した携帯電話端末において、図３に示したフレーズのうちカーソル移動キー２によって《分類Ｃ（なぜ）》が選択された表示画面を示す図である。
【図９】図１に示した携帯電話端末において、図３に示したフレーズのうち「電車事故により」と表示されると共に、文章を構成する順序について次に構成要素が選択されるべき分類である《分類Ｄ（何を）》が表示された表示画面を示す図である。
【図１０】図１に示した携帯電話端末において、図３に示したフレーズのうちカーソル移動キーによって《分類Ｅ（どうする）》が選択された表示画面を示す図である。
【図１１】図１に示した携帯電話端末において、図３に示したフレーズのうち「遅れます。」と表示されると共に、文章を構成する順序について次に構成要素が選択されるべき分類である《分類Ｆ（文末）》が表示された表示画面を示す図である。
【符号の説明】
【００５２】
１    携帯電話端末
２    カーソル移動キー
３    テンキー
４    決定キー
５    表示画面
６    構成要素制御部
７    描画部
８    記憶部
【図１】
2006221363.tif 000003
【図２】
2006221363.tif 000004
【図３】
2006221363.tif 000005
【図４】
2006221363.tif 000006
【図５】
2006221363.tif 000007
【図６】
2006221363.tif 000008
【図７】
2006221363.tif 000009
【図８】
2006221363.tif 000010
【図９】
2006221363.tif 000011
【図１０】
2006221363.tif 000012
【図１１】
2006221363.tif 000013